(57)【要約】【課題】消臭剤の消臭装置において、開放式、底部加熱式、垂直側面加熱式、ファン式の欠点を解消し、消臭空間に応じて消臭剤の効果的蒸散と消臭効果の維持を可能とする消臭方法の提示とそれを実現する消臭装置【解決手段】専用容器の収納口を二個有し、ＰＴＣ発熱体を金属板の略中央下部に配設して傾斜加熱板となし、該加熱板の上部を背板方向に傾斜させ、開口部を下部より狭くしその後面空間を煙突状に構成し上昇気流を招来せしめるようになした消臭装置において、小空間時は消臭剤容器のハーフ充填ボトルとフル充填ボトルを、中空間では二個のフル充填ボトルを、大空間では消臭装置を2連、3連と連結して使用できるように背板にコンセントボックスを設けたことを特徴とする消臭装置。なお消臭剤の専用容器は本体上部枠に規制せられてその自重で該加熱板に一側面前面を密着するよう装填されるので消臭剤への熱伝導が確実に行われ蒸散効果により寄与する。【選択図】図２
2005034460.tif 000002
【特許請求の範囲】
【請求項１】
消臭剤を蒸散せしめる消臭装置においてその消臭剤を充填した専用容器（ボトル）を装着する収納部を二個有し、消臭すべき空間容積に応じて消臭剤の適切な量の、その使い方を提示することによって消臭の効果維持を発揮せしめることを可能とした消臭装置
【請求項２】
３０ｍ３以下の小空間には専用容器に半分消臭剤を充填したハーフボトルと全充填したフルボトル、５０ｍ３以下の中空間にはフルボトル二個をそれぞれの収納部に装着し、それ以上の大空間には消臭装置を２台、或いは３台連結し運転を開始する消臭方法とその消臭装置
【請求項３】
消臭剤を充填した容器の交換時期を該消臭装置の窓の下部前縁により認知できるようにした消臭装置
【請求項４】
装填された消臭剤専用容器の略中央部より下側に対応する位置にＰＴＣヒーターを左右一個づつ配設し加熱板とし上面を微少角背板方向に傾けた構造の消臭装置
【請求項５】
左右に二個の窓部を有する本体板と消臭装置を壁面に取付ける取付孔を有する背板と該本体板と該背板で構成される本体部の上部を覆い開閉自在になる蓋とからなる消臭装置の底部に専用容器照明用のＬＥＤを設けこれをON・OFF可能にした消臭装置  
【請求項６】
該背板の外側面に凹部ボックスを設けコンセントを装着した消臭装置
【請求項７】
本体部の底面、加熱部後方上部及び蓋部上面に開口部を設け、加熱板の上開口部を下開口部より狭くして上昇気流（ドラフト）を喚起せしめるようにした消臭装置
【請求項８】
蓋部上面の開口部近傍に複数個の突起部を設けたことを特徴とする消臭装置
【発明の詳細な説明】
【技術分野】
【０００１】
本発明は、消臭剤の蒸散装置において、消臭剤の
蒸散を促進させる加熱部を傾斜加熱板とし消臭剤の特性を活かし空間の消臭を持続させる消臭方法と蒸散装置に関する。
【背景技術】
【０００２】
消臭剤の蒸散には、単に容器上部を開放する方式、容器の底部加熱式、垂直側面加熱方式あるいはファン式が知られている。
【特許文献１】特開２００３−１１６９７７
【発明の開示】
【発明が解決しようとする課題】
【０００３】
容器上部を開放する方式は、蒸散ドライブ力は容器の置かれた環境湿度のみとなるので蒸散は緩慢である。底部加熱式は、容器底部は確実に加熱されてその接触部位近傍の温度もあがるが、消臭剤の熱伝導率が悪いために蒸散がおこる表面の温度が上がらない。よって蒸散効果は少ない。垂直側面加熱式は容器との実効接触面積が小さいので加熱効果は少ない。ファン式は静かな室内には騒音のデメリットがある。またファンの寿命が問題となる。本発明はこれらの課題を解決するとともに消臭剤特性を効果的に持続する消臭装置を提供しようとするものである。
【課題を解決するための手段】
【０００４】
本発明になる消臭装置は、上部枠部と基板を収納する底部と前部中央壁とからなる本体板と壁面に消臭装置を取り付ける取付孔を有する背板と装置を覆う蓋部から構成される。背板に取り付けられた加熱板は、熱伝導のよい金属板たとえばアルミ材等を用い垂直背板に対し数度傾斜をもたせてある。こうすることによって消臭剤容器を該装置に上部からおろすと上部枠に規制されて容器は傾斜加熱板に沿うように滑り降り消臭剤の重量に
よって加熱板に面密着して装填される。
【０００５】
蒸散を促進させるには、加熱部の熱をいかに効率よく消臭剤に伝熱させるか、また蒸散した薬効成分を上昇ドラフトを喚起して搬送させるかがキーとなる。この点に鑑み前述のごとく容器の一面全体を消臭剤自体の重量によって加熱部に密着接触させかつ加熱部面積を大きくし消臭剤の昇温を図るとともに傾斜を持たせることによって消臭剤の内部対流を助長している。また本体底部には複数個の開口部、加熱金属板の背面には上部開口部、蓋の開口部を設けてあるので煙突効果によって本体底部から蓋の外部へ上昇ドラフトが喚起される。
【０００６】
本消臭装置に用いる消臭剤の薬効は使用開始時が一番高く、蒸散し量を減じるに従いその効果は減って来て消臭剤残量10％以下になると極端に落ちてしまう。図６はその模式図であるが、消臭剤の材質、量、使用環境、何を対象に測定するかによって異なるので一概に言えないが概念的にはこのようなグラフとなる。ところが人は消臭剤が少しでも残っていると新規消臭剤に取り替えるのをためらってしまう。その結果消臭剤があるのに消臭効果がないので、使用している消臭剤の本来の効果にまで疑問を持つことになりやすい。そこで本装置には取替え時期の告知機能を設けるとともに効果的な使用方法を提唱する。小
空間（３０ｍ３以下）では消臭剤のフルボトルを１個消臭剤が容器の半分入ったハーフボトルを該消臭装置に装填し運転を開始する。フルボトルの消臭剤が略半分になったとき、ハーフボトルで開始したボトルの方は該消臭装置の前面窓縁より下方に消臭剤残量がさがってあたかもボトルが空になったように見える。消臭剤が見えないのでボトルを交換する時期だと理解がいく。フルボトルの残量略半分は消臭効果は依然たかいのでこれを交互に繰り返すことによって消臭効果はどの時点でも落ちずさほど落ちず小空間の清浄さが維持できるのである。
【０００７】
中空間の場合は該消臭装置にフルボトル二個を装填して運転を開始する。少しのばらつきはあっても殆ど同時に前面窓下縁に近づくのでその時点でその時点で２ボトル同時交換する。こうすることで中空間の消臭効果は維持できる。
さらに大空間の場合は、該消臭装置を２台、３台と連結できるように背板の後面にコンセントボックスを設けコンセントを装着してある。このコンセントから電源をとって複数台連結して使用出来る。
【発明の効果】
【０００８】
本発明は、業務用大規模空間を除く家庭の小空間から業務用中空間まで同じ消臭装置で消臭剤の使い方を含み、その効果を持続できるようにしたものである。該装置の構成は、消臭剤の蒸散が効果的に行えるように専用容器を使用しその一側面全面がＰＴＣヒーターにより加熱される傾斜加熱版に密着面接するようにしてその後面には煙突効果により上昇気流が生じるように開口部を底板本体上部、蓋に設け、加熱板下部は開口面積を大きく、上部はそれを小さくしている。
消臭剤容器の設置箇所を二箇所とし交互又は同時交換するか本装置自体を複数個連結できるよう本体背板にコンセントボックスを設けて消臭すべき空間の大きさに対応した使い方を提唱した。
専用容器は消臭剤の減り方が一目でわかるように透明とし本装置の窓の下部前縁を越えたら（容器の中の消臭剤が見えなくなったら）交換時期とする一目瞭然の方法を採用した。また専用容器を下から照明して業務用にその視覚的商品性を高めることをした。本装置の置き場所を壁掛け、床置きで使用できるように背板には壁取付孔を、底部には脚部を設けている。
【実施例】
【０００９】
本発明による消臭装置の一実施例を図面に基づいて説明する。蒸散量は、空気と接するボトル最上面の消臭剤の温度とその周りの空気温度の差で蒸散のドライブ力がきまる。差が大きいほどドライブ力は大きくなる。また蒸散面積の大きいほど、設置場所の風速の早いほど蒸散量は大きくなる。したがって、室内使用のコンパクトで蒸散能力大な消臭装置を造るためには、この点を十分配慮したものでなければならない。
本発明は、このコンセプトのもとになされたものでユーザーの使用法も包含する。図１において、1は消臭装置、２は前面の窓３を有する本体板、４は装置１を壁面に取り付ける背板、２と４で構成される箱体を本体５とよぶ。６は装置1の蓋で蒸散した薬効成分を上方に放出するスリット７を有する。８は、蓋が閉じられた状態でこの上に書類など物が置かれたときスリット７が塞がれて薬液蒸散が妨げられないように、蓋６の上面に設けた突起部である。９は蓋６の両側面に設けた凹み部で蓋を開くときに指にかかり滑り止めの効果を有する。１０は本体窓３の左に配置した透明な専用容器で充填した消臭剤1１（図示せず）の量が目視できる。本図では右側には装填してないが、実使用時にはこの部分にも容器が入る。１２は窓３の下部前縁で消臭剤の薬効が極端に落ちる容器交換時期を示すラインである。前面から見てこのラインから消臭剤残量が下になるので消臭剤がなくなって見えるようにした。消臭剤がなくなれば容器の交換を決断するのが人間心理である。
【００１０】
図２は図１の蓋６を開けた状態をしめす。本図において、１３は専用容器のカバーであるが蒸散薬効成分を放出する開口部１４を有し消臭剤が球状ポリマービーズの場合はスリットの短径寸法がビーズ径以下として容器装填時にポリマービーズがこぼれない配慮をした。本体５の底部には消臭剤が万一落下した場合でも着脱自在の皿状カバー１５に集まるので下に落下流れ出て設置場所を汚すことがない。１６は加熱板で熱伝導のよい金属板、実施例ではアルミ板を背板に成型された上爪１７および下爪１８によって嵌合挟持する。なお加熱板１６は垂直ではなく上部が背板方向に若干倒れた形に保持してある。
実地例では垂直面に対し３度傾けている。これは容器１０を本装置に装着するとき本体の上部枠部１９の特にコーナーＡ部２０とＢ部２１によって規制されて容器の自重によって自動的に該加熱板１６に密着して収納されるから、加熱板の熱が伝導によって容器に伝えられやすくなる。またこのように傾斜して加熱板を取付けることによって、上部は背板４との間隔が狭まり、下部は広がって煙突構造が得られる。これは消臭剤の蒸散におおいに寄与する。
【００１１】
図３は、図１のＡ−Ａ断面図である。加熱板１６の略中央位置に正温度特性を有するＰＴＣ発熱体２２を装着する。該消臭装置は２ボトル装填を基本としているが２個の容器の中の消臭剤の量は容器の交換時期によって千差万別の残量を呈するので、センサーで加熱板各部の温度を検知しヒーターを制御する方法は制御そのものが困難である。ＰＴＣヒーターは定めた定温になるとヒーターの抵抗値が急増し電流制限する自己制御形なので、この種のコントロールには最適なヒーターと言える。２３は通電インジケーター用のＬＥＤ、２４はそのメイン基板で該消臭装置の中央底部に設けている。２５は容器１０の底部か
ら上方を照明するための白色ＬＥＤ、２６はダイオード基板で同じものが２枚左右に配設されている。照明が不要な環境ではこれを消灯して使用することも出来る。
【００１２】
図４は、本消臭装置１のスイッチ機能を説明するための透視側面図である。２７はメインスイッチで装置に供給する電源スイッチである。消臭装置の底部にあり操作は底部の外側から行う。２８は白色ＬＥＤをＯＮ・ＯＦＦさせるスイッチでメインスイッチ２７と同様底部外側から操作できる。いずれもＯＮしたときはＯＮ状態を維持する。
皿状カバー１５は、ポリエチレンテレフタレート（ＰＥＴ）などの透明材質で作られ、照明用ＬＥＤに対応するドーム部分２９は、半球状に成形されておりこの頂部のみは塗装されておらず光が上部に向かって放射される。カバー全体は不透明塗装が施されている。塗装の色は自由に変えられる利点がある。
取付孔(上)３０、取付孔（下）３１は壁面取付用のねじ孔で背板４に設けてある。３２は本体５の底部に設けて床置き時に本装置を支える脚である。
【００１３】
図５は該消臭装置の底部説明図である。基板２４は本体５中央部に、該基板２４には通電用インジケーター２３、照明用ＯＮ/ＯＦＦスイッチ２８、それに家庭用電源１００ＶのＡＣ−ＤＣ変換回路（図示せず）等が搭載されている。
照明用のダイオード基板２６は右側を図示しているが左にも同じものが取付けられる。メインスイッチ２７は右側に設けている。３３，３４は本体５底部に空けられた底部通気孔で加熱板による上昇気流の外気取入孔である。３５、３６等は基板をねじ締結する取付リブで本体底部に本体と一体的に成形されている。
【図面の簡単な説明】
【００１４】
【図１】図１は、本発明になる消臭装置の立体外観図
【図２】図２は、本発明になる消臭装置の蓋開放時の立体外観図
【図３】図３は、図1のＡ−Ａ断面図
【図４】図４は、本発明になる消臭装置の透視側面図
【図５】図５は、本発明になる消臭装置の底部説明図
【図６】図６は、本発明に採用した消臭剤の時間―消臭効果の模式図
【符号の説明】
【００１５】
１  消臭装置
３  窓  
４  背板
５  本体
６  蓋
８  突起部
１０  容器
１２  下部前縁
１３  カバー
１５  皿状カバー
１６  加熱板
１７  上爪
１８  下爪
１９  上部枠部
２０  コーナーＡ部
２１  コーナーＢ部
２２  ＰＴＣ発熱体
２４  メイン基板
２５  白色ＬＥＤ
２６  ダイオード基板
２７  メインスイッチ
２８  照明用ＯＮ/ＯＦＦスイッチ
２９  ドーム部分
３０  取付孔（上）
３１  取付孔（下）
３２  脚
３３  底部通気孔
【図１】
2005034460.tif 000003
【図２】
2005034460.tif 000004
【図３】
2005034460.tif 000005
【図４】
2005034460.tif 000006
【図５】
2005034460.tif 000007
【図６】
2005034460.tif 000008